(57)【要約】【課題】３枚以上の刃体を備えた剃刀において、ひげかす排出路のひげかすを容易に移動するとともに外側へ排出する剃刀を提供する。また連結部等の内部構造化により、見栄えのよい剃刀を提供する。【解決手段】キャップ部材、３数以上の刃体、スペーサ、刃台とを備え、キャップ部材と刃台との間に刃体を挟着し、刃体間に介在するスペーサが形成する刃体間の間隙により複数のひげかす排出路を設けた剃刀ヘッドを備える剃刀において、少なくとも上下２段のひげかす排出路を連通口により上下方向に連通し、ひげかすが連通口より上段のひげかす排出路から下段のひげかす排出路に移動する。また上下２段のひげかす排出路を連通口により上下方向に連通し、上段のひげかす排出路に配置される上スペーサの連結部のテーパ部が連通口に臨み、テーパ部に案内されるひげかすが連通口より上段のひげかす排出路から下段のひげかす排出路に移動する。【選択図】  図５
2005169025.tif 000002
【特許請求の範囲】
【請求項１】
キャップ部材、３枚以上の刃体、スペーサ、刃台とを備え、キャップ部材と刃台との間に刃体を挟着し、刃体間に介在するスペーサが形成する刃体間の間隙により複数のひげかす排出路を設けた剃刀ヘッドを備える剃刀において、少なくとも上下２段のひげかす排出路を連通口により上下方向に連通し、ひげかすが連通口より上段のひげかす排出路から下段のひげかす排出路に移動するスペーサを備えた剃刀。
【請求項２】
キャップ部材、３枚以上の刃体、スペーサ、刃台とを備え、キャップ部材と刃台との間に刃体を挟着し、刃体間に介在するスペーサが形成する刃体間の間隙により複数のひげかす排出路を設けた剃刀ヘッドを備える剃刀において、少なくとも上下２段のひげかす排出路を連通口により上下方向に連通し、上段のひげかす排出路に配置される上スペーサの連結部のテーパ部が連通口に臨み、テーパ部に案内されるひげかすが連通口より上段のひげかす排出路から下段のひげかす排出路に移動するスペーサを備えた剃刀。
【請求項３】
キャップ部材、３枚以上の刃体、スペーサ、刃台とを備え、キャップ部材と刃台との間に刃体を挟着し、刃体間に介在するスペーサが形成する刃体間の間隙により複数のひげかす排出路を設けた剃刀ヘッドを備える剃刀において、上段のひげかす排出路に配置される上スペーサの連結部の後部の少なくとも一部をキャップ部材の後壁で覆い、かつ下段のひげかす排出路に配置される下スペーサの垂下する連結部を刃台に形成された溝部に収容し、少なくとも上下スペーサの連結部が剃刀ヘッド内部に配置されるスペーサを備えた剃刀。
【請求項４】
上段のひげかす排出路に配置される上スペーサの連結部のテーパ部の傾斜角度をほぼ４５度のテーパ部とした請求項１、２又は３に記載のスペーサを備えた剃刀。
【発明の詳細な説明】
【技術分野】
【０００１】本発明は剃刀、特にスペーサを備えた剃刀にかんする。
【背景技術】
【０００２】キャップ部材と刃台との間に複数の刃体を挟着して一体化する一方、刃体間に介在するスペーサが刃体間に形成する間隙を利用し、ひげかすを排除する排出路（以下「ひげかす排出路」という）を前後方向に設けた剃刀が知られている。ひげかすはひげかす排出路を前方から後方へ移動し、外側に排出される。【０００３】スペーサは複数の間隔保持部とこれらを互いに連結する連結部を有するが、連結部はひげかす排出路のひげかすの移動を阻害するため種々の工夫がされている。例えば、スペーサ後部の連結部を剃刀ヘッド（本体）の外側に露出させる一方、連結部を刃台の後端面に沿って折曲した構造等である。しかし連結部が外側に大きく露呈するのは見栄えがよいだけでない。このような構造では刃体数が３枚、４枚等からなる３枚刃の剃刀、４枚刃の剃刀等、刃体数の多い剃刀には対応できないともに、無理に対応しようとすると構造の複雑化や大型化がさけられない。
【特許文献】特許文献は特許第２８４９５４８号、特許第３２７５０９２号公報がある。
【発明の開示】
前後方向に形成された複数のひげかす排出路のうち、少なくとも上下２段のひげかす排出路は連通口により上下方向に連通される。下段のひげかす排出路は前後方向に貫通している。ひげかすは連通口を通じて上段のひげかす排出路から下段のひげかす排出路に移動し、排出口から外側に排出される。その場合、ひげかすはスペーサの連結部のテーパ部に案内されて移動する。またスペーサの連結部等が剃刀ヘッド内部に配置される。このような内部構造化により、連結部等が外側から目視されないか、目視しにくくなっている。
【発明が解決しようとする課題】
【０００４】本発明が解決しようとする課題は、３枚刃、４枚刃の剃刀等、３枚以上の刃体を備え、刃体間に形成された複数のひげかす排出路を設けた剃刀において、ひげかすがひげかす排出路を容易に移動するとともに外側へ排出される剃刀を提供することである。連結部等の内部構造化により、見栄えのよい剃刀を提供することである。
【課題を解決するための手段】
【０００５】この課題を解決するため本発明は次の手段を採用する。すなわちキャップ部材、３枚以上の刃体、スペーサ、刃台とを備え、キャップ部材と刃台との間に刃体を挟着し、刃体間に介在するスペーサが形成する刃体間の間隙により複数のひげかす排出路を設けた剃刀ヘッドを備える剃刀において、少なくとも上下２段のひげかす排出路を連通口により上下方向に連通し、ひげかすが連通口より上段のひげかす排出路から下段のひげかす排出路に移動する。また上下２段のひげかす排出路を連通口により上下方向に連通し、上段のひげかす排出路に配置される上スペーサの連結部のテーパ部が連通口に臨み、テーパ部に案内されるひげかすが連通口より上段のひげかす排出路から下段のひげかす排出路に移動する。
【０００６】キャップ部材、３枚以上の刃体、スペーサ、刃台とを備え、キャップ部材と刃台との間に刃体を挟着し、刃体間に介在するスペーサが形成する刃体間の間隙により複数のひげかす排出路を設けた剃刀ヘッドを備える剃刀において、上段のひげかす排出路に配置される上スペーサの連結部の後部の少なくとも一部をキャップ部材の後壁で覆い、かつ下段のひげかす排出路に配置される下スペーサの垂下する連結部を刃台に形成された溝部に収容し、少なくとも上下スペーサの連結部が剃刀ヘッド内部に配置される。
【発明の効果】
【０００７】本発明によれば、ひげかすは２段以上のひげかす排出路をスムーズに移動し、外側に排出される。またスペーサの連結部等が外側に露出せず、見栄えがよいだけでなく、使用者に安心感を与える等の効果がある。
【発明を実施するための最良の形態】
【０００８】本発明の実施の形態について説明する。剃刀ヘッド１はキャップ部材２、３枚の刃体５、スペーサ６、刃台３を備える。スペーサ６を介在した３枚の刃体５がキャップ部材２と刃台３との間に挟着されている。これは３枚の刃体を備える
３枚刃の剃刀であるが、４枚、５枚の刃体を備える４枚刃の剃刀、５枚刃の剃刀でもよい（図示せず）。刃体間に介在するスペーサ６は上下の刃体５、５間に所定の間隙を保持し、ひげかすを排除するためのスペース、つまりひげかす排出路１３を形成している。３枚刃の剃刀の場合、上下の２段のひげかす排出路１３が形成される。４枚刃の剃刀の場合は上下の２段のひげかす排出路１３が形成される（図示せず）。刃体数が３枚以上であるから刃体数に従い複数、つまり２以上のひげかす排出路が上下方向に形成される。ひげかす排出路１３は前後方向に通じるが、コース化された一定の通路に限定されず、ひげかすが移動可能な刃体間の任意なスペースという意味を含む。ひげ剃りにより生じたひげかすはひげかす排出路１３を前方（刃先）より後方（剃刀ヘッドの後端）へ移動し、排出口４１からヘッド（本体）１の外側に排出される。【０００９】２個のスペーサ６、つまり上スペーサ６ａ、下スペーサ６ｂは平板状の金属材（アルミ、ステンレス等）、合成樹脂等からなり、間隔保持部１１と連結部１２を備える。連結部１２は刃体５の長手方向に延びるとともに間隔保持部１１を互いに連結している。４個の間隔保持部１１は刃体５の長手方向とほぼ直交方向に延び、所定間隔に配置されている。連結部１２と間隔保持部１１は通常はほぼ同じ厚みであるが、連結部１２を若干薄くしてもよい（図示せず）。間隔保持部１１はキャップ部材２から突出する円柱状の脚部３６を挿通する挿通孔３７を有する。刃体の挿通孔３９、間隔保持部の挿通孔３７、刃台の挿通孔２９に脚部３６を挿通するとともに脚部３６の先端を熱融着によりカシメ、キャップ部材２と刃台３との間に刃体５とスペーサ６を挟着し、一体化された剃刀ヘッド１が構成される（なお図６は円柱状の脚部３６の先端がカシメられていない状態を示す）。刃体の刃先９の前方には保護部材１０が配設され、また保護部材１０の前方には回転可能なローラ７が配設される。１４はキャップ部材２に装着されたスムーサである。【００１０】３枚刃の剃刀においては、上側、中間、下側の３枚の刃体５ａ、５ｂ、５ｃと、上、下の２個のスペーサ６ａ、６から上下２段のひげかす排出路１３が形成される。まず並行する中間、下側の刃体５ｂ、５ｃ間に介在する下スペーサ６ｂにより形成される下段のひげかす排出路１３ｂにおいて、ひげかす排出路１３ｂに配置された下スペーサ６ｂは後部が刃台３側（下方）に屈曲するととも連結部１２が垂下している。下スペーサ６ｂの垂下した連結部は刃台３の長手方向に形成された溝部４０内に配置されている。下スペーサ６ｂの後部の屈曲位置は下側刃体５ｃの後端５９より後方である。下側刃体５ｃを基凖にすれば、下側刃体５ｃの後端５９は下スペーサ６ｂの後部の屈曲位置および連結部の垂下位置より前方にある。溝部４０に収容された連結部１２はひげかす排出路１３に露呈しない。ひげかす排出路１３は前後方向に貫通すると    ともに後端が開口した排出口４１となっている。通常、連結部１２はひげかすの移動の障害となるが、連結部１２がひげかす排出路１３に露呈しないから、ひげかすの前後方向の移動がスムーズとなる。刃台の溝部４０に収容された連結部１２は剃刀ヘッド１の内部に配��されるから、排出口４１側を含め、外側から目視されない。【００１１】次に並行する上側、中間の刃体５ａ、５ｂ間に介在する上スペーサ６ａにより形成される上段のひげかす排出路１３ａにおいて、ひげかす排出路１３ａに配置される上スペーサ６ａの連結部１２は後部がキャップ部材の後壁４２、例えば、後壁下部で覆われている。すなわち前後方向に延びるひげかす排出路１３ａは後部がキャップ部材の後壁４２で遮断されている。後壁４２は長手方向に延びる連結部１２の後部全体を覆うことも、またその１部を覆うこともできる。後壁４２が連結部１２の後部の全体を覆う場合、連結部１２の全体が内部構造化されて外側から目視されない。連結部１２の後部の一部を覆う場合は連結部の１２の後部が外側から目視しにくくなる。図４の場合、連結部の後部は両端を除くほぼ大部分が後壁４２が覆われている。刃台３の後端には上方に突出する支持円柱部４３が等間隔で設けられ、上スペーサ６ａの連結部１２の後部が支持円柱部４３上に配置されている。なお後壁４２の前方に配置された連結部１２はひげかすの移動をその箇所で阻止する。【００１２】下スペーサ６ｂの後部が下方に屈曲し、垂下する連結部１２が溝部４０内に配置されるから、下段のひげかす排出路１３ｂに配置される下スペーサ６ｂ、特前後方向の長さが実質的に短くなる。このような下スペーサ６ｂに対応しその上下の中間、下側の刃体５ｂ、５ｃの幅（前後方向の長さ）も短くすることができる。また上段のひげかす排出路１３ａに配置される上スペーサ６ａは連結部１２がキャップ部材２の内部に位置し、前後方向の長さは外側に露出する構造に比べて短い。このような上スペーサ６ａに対応しその上下の上側、中間の刃体５ａ、５ｂの幅（前後方向の長さ）も短くすることができる。この構成によればスペーサや刃体の幅を短くすることにより、剃刀ヘッドの大型化が回避され、あるいは小型化を図ることもできる。【００１３】ひげかす排出路は複数（２以上）形成されるが、少なくとも上下２段のひげかす排出路１３は連通口４６により上下方向に連通している。中刃体５ｂは上下段のひげかす排出路１３を分けているが、上段のひげかす排出路１３ａの後端に位置する上スペーサ６ａの連結部１２はその前端４７が少なくとも中刃体５ｂの後端４９より後方に位置する。これにより上スペーサ６ａの連結部の前端４７と中刃体５ｂの後端４９との間に適宜な間隙を生じ、上下段のひげかす排出路１３が連通する上下方向の連通口４６となる。連通口４６は上スペーサ６ａの連結部１２に沿う長手方向に形成されている。下段のひげかす排出路１３ｂのひげかすは前後方向に移動し後端の排出口４１から排出されるが、上段のひげかす排出路１３ａを移動するひげかすは上スペーサ６ａの連結部１２により進行が阻害される一方、連通口４６から下段のひげ排出路１３ｂへ移動するとともに、後端の排出口４１から排出される。下段のひげかす排出路１３ｂは少なくとも連通口４６より後方位置においてその高さ（上下方向の幅）が大きくなっている。排出口４１を含むひげかす排出路１３ｂを拡大し、ひげかす量の増大に適応するためである。上下２段のひげかす排出路１３のひげかすは合流により増量するが、拡大された排出��１３ｂを容易に移動して排出口４２から排出される。【００１４】上スペーサ６ａの連結部１２は前端４７にテーパ部４５を有する。上スペーサの連結部１２の前端４、特にテーパ部４５は連通口４６に臨む位置にある。上スペーサ６ａは連結部１２が上段のひげ排出路１３ａを遮断し、連結部１２の前端４７がひげかすの移動を阻止するが、連通口４６に臨むテーパ部４５が移動を阻止されたひげかすを連通口４６より下段のひげかす排出路１３ｂに案内する。テーパ部４５に案内されたひげかすは連通口４６より容易に移動する。テーパ部４５の具体的な構造は任意であり、図示の場合、テーパ部４５は前端４７の隅部を面取りした平面状であるが、弧状に面取りされたものでもよい（図示せず）。また連結部の前端４７には上側刃体５ａ側の一部が垂直面として残されているが（図９参照）、前端４７の全体を面取りしてもよい（図示せず）。いずれの場合もテーパ部４５はひげかすを案内し、連通口４６からの上下方向の移動を促進する。【００１５】ここに「案内する」とは次の機能の少なくとも１つを含む。まず上段のひげかす排出路１３ａを前方から後方へ移動するひげかすは上スペーサ６ａの連結部１２により後方への移動を阻止されるが、テーパ部４５に当接するひげかすは自重により連通口４６から下方に移動しようとする。すなわちこのようにひげかすが下方に移動しようとする機能である。次にテーパ部４５に当接し連結部１２の前方で一時的に滞留するひげかすは、前方からのひげかすに押し流されてテーパ部４５に沿い連通口４６から下方に移動しようとする。すなわちこのようなひげかすを下方に移動しようとする機能である。この場合、テーパ部４５の傾斜角度をほぼ４５度とするのが有効であるが、これに限定されない。【００１６】剃刀ヘッド１はハンドルを有する剃刀ホルダ（図示せず）に着脱自在に装着され、剃刀として使用される。剃刀はハンドルと剃刀ヘッドと一体化したものでもよい（図示せず）等、剃刀の具体的な構造、形態や、一般用、理美容用等の用途を問わない。なお複数（２以上）のひげかす排出路を設けた剃刀ヘッドにおいて、少なくとも上下２段のひげかす排出路を連通口により上下方向に連通した構造であればよいから、４枚刃剃刀の場合は、例えば、３段のひげかす排出路を連通口により上下方向に連通すればよい。５枚刃剃刀の場合は、４段のひげかす排出路をすべて上下方向に連通してもよく、また２段づつに分けて上部の２段のひげかす排出路と下部の２段のひげかす排出路においてそれぞれ上下方向に連通する連通口を設けてもよい。これらはいずれも本発明の特許請求の範囲にカバーされている。
【図面の簡単な説明】
【００１７】
【図１】本発明にかかるスペーサを備えた剃刀における剃刀ヘッドの平面図である。
【図２】同剃刀ヘッドの正面図である。
【図３】同剃刀ヘッドの底面図である。
【図４】同剃刀ヘッドの背面図である。
【図５】図２の剃刀ヘッドのＡ−Ａ線拡大断面図である。
【図６】図２の剃刀ヘッドのＢ−Ｂ線拡大断面図である。
【図７】後部が屈曲されていない下スペーサの拡大平面図である。
【図８】上スペーサの拡大平面図である。
【図９】図８のスペーサのＤ−Ｄ線拡大断面図である。
【図１０】図５の剃刀ヘッドの後部の拡大断面図である。
【符号の説明】
【００１８】  １  剃刀ヘッド
２  キャップ部材
３  刃台
５  刃体
６  スペーサ
１１  間隔保持部
１２  連結部
１３  ひげかす排出路
４２  後壁
４５  テーパ部
４６  連通口
【図１】
2005169025.tif 000003
【図２】
2005169025.tif 000004
【図３】
2005169025.tif 000005
【図４】
2005169025.tif 000006
【図５】
2005169025.tif 000007
【図６】
2005169025.tif 000008
【図７】
2005169025.tif 000009
【図８】
2005169025.tif 000010
【図９】
2005169025.tif 000011
【図１０】
2005169025.tif 000012